(57)【要約】【課題】無駄なく使え、作業効率を高めることのできる屋根瓦支持用の調整材を提供すること。【解決手段】１枚の厚い発泡樹脂シート１を複数個のブロック２に切断してなり、表面又は裏面の少なくとも片面側には、接着剤層３を介してシート全体に亘って継ぎ目のない剥離紙４を備えてなる屋根瓦支持用調整材としたので、剥離紙４上に複数個配置されている調整材（ブロック２）を手で掴んで１個ずつ剥ぎ取れば、その手のまま直ちに屋根瓦等に貼り付け使用することができる。【選択図】図１
2009167601.tif 000002
【特許請求の範囲】
【請求項１】
１枚の厚い発泡樹脂シートを複数個のブロックに切断してなり、表面又は裏面の少なくとも片面側には、接着剤層を介してシート全体に亘って継ぎ目のない剥離紙を備えてなる屋根瓦支持用調整材。
【請求項２】
継ぎ目のない剥離紙を備えた面とは反対側の面にも接着剤層を設けて、各ブロック毎に切断された小剥離紙を備えてなる請求項１記載の屋根瓦支持用調整材。
【発明の詳細な説明】
【技術分野】
【０００１】
本発明は屋根瓦を安定支持するための調整材に関するものであり、より詳しくは、棟部や谷部、あるいはトップライト周縁部、壁際や屋根袖の隠し谷部など、取り合いの関係から施工時に調整が必要となる個所における屋根瓦の浮きやズレを防止するために用いられる調整用の部材に関するものである。
【背景技術】
【０００２】
近時の屋根瓦は、上下左右方向に連続設置される屋根瓦同士が強固に係合するように、各屋根瓦の周縁部において凹凸嵌合が設けられている。隣接する屋根瓦同士を相互に係合させながら野地板上に防水シートを介しつつ所定間隔をおいて設けられた桟木に対して釘で固定すれば、家屋と一体化して風雪等による屋根瓦のズレ等が防止できるとされている。
【０００３】
ところが、寄棟や入母屋など屋根の形状は様々であるうえ、家屋の平面形状も多種多様であるために、規格化された方形状の屋根瓦をそのまま使用することができず、施工現場において部分的に切断して用いられることも多い。棟部や谷部はその代表例であり、屋根瓦を斜めに切断し大小様々な大きさに加工しながら設置していた。
【０００４】
このように異形加工された屋根瓦を施工すると、とくに切り落とした端部において浮きが生じるため、野地板上の防水シートや桟木、隣接する瓦等との間に余分な隙間が残って雨水が浸入しやすくなるし、安定を欠いてガタつきを生じる、屋根瓦同士の係合が不十分で脱落してしまうといった不都合があった。そこで、施工現場における調整として、泥や瓦の端材などを屋根瓦と防水シートの隙間に詰めたり、捨て釘と称される釘を打ち、その頭頂部で屋根瓦を支持させる作業が行われていたが、施工品質のばらつきが生じやすいし、捨て釘の高さ調節が困難であったり、泥や瓦等の詰め物が経年変化で脱落してしまうといった問題もあった。
【０００５】
そこで、特許文献１では、とくに谷部に生じる隙間を簡易に塞ぎ、雨水の浸入防止と施工品質の安定化を図るため、クッション性のあるプラスチックからなる枕桟が提案されている。
【０００６】
【特許文献１】特許第２７７１７７３号公報（特許請求の範囲、図１）
【発明の開示】
【発明が解決しようとする課題】
【０００７】
前記プラスチックからなる枕桟は腐蝕しないので取り替えの必要がないし、剥離紙を剥がすだけで接着面が露出し谷板に簡単に密着できる利点があったが、棒状で、所望のサイズに逐一切断して用いなければならない点が煩雑であった。また、長尺棒状の枕桟は、発泡プラスチックの特性として屋根上の高温となる作業環境下においては膨張するところ、剥離紙との膨張率の差から発泡プラスチックのみが大きく反り曲がり、その結果、膨張しにくい剥離紙が枕桟から剥離してしまって接着力を失ってしまう欠点もあった。
【０００８】
本発明は叙上の事情に鑑みてなされたものであり、その課題とするところは、無駄なく使え、作業効率を高めることのできる屋根瓦支持用の調整材を提供することにある。
【課題を解決するための手段】
【０００９】
前記所期の課題解決を図るため、本発明に係る屋根瓦支持用調整材では、１枚の厚い発泡樹脂シートを複数個のブロックに切断して、表面又は裏面の少なくとも片面側には、接着剤層を介してシート全体に亘って継ぎ目のない剥離紙を設けることとした。予め使いやすい大きさのブロック状に切断された調整材を、１枚の剥離紙のみによって連結した状態で提供することにしたのである。
【００１０】
発泡樹脂シートの厚みは屋根瓦の防水シートとの間に生じるであろう隙間の高さに合わせて設定することになるが、必要に応じて複数個を重ねて使用することとして、シート自体の厚みはやや控えめにしておいてもよい。また、各ブロックの大きさも、無駄が生じないように、必要かつ十分な大きさに設定すればよい。１枚のシートに設けるブロックの数を例えば５×５の計２５個などとしておけば、計数に便利である。
【００１１】
また、前記屋根瓦支持用調整材は、継ぎ目のない剥離紙を備えた面とは反対側の面にも接着剤層を設けて、各ブロック毎に切断された小剥離紙を備えたものとすることができる。表裏両面に接着剤層を設けることにより、適用範囲を広げたのである。
【発明の効果】
【００１２】
本発明に係る屋根瓦支持用調整材によれば、剥離紙上に複数個配置されている調整材を手で掴んで１個ずつ剥ぎ取ることができ、かつ、剥ぎ取った調整材には既に接着剤が塗布されているので、現場において余分な切断作業等を要することなく、剥ぎ取ったその手のまま直ちに屋根瓦等に貼り付け使用することができる。シートに多列配置された調整材は、多数個を一度に運搬するのに便利であるし、一見して個数を把握することができる便利性もある。
【００１３】
また、本発明では、各調整材が既に完全に切断された状態で１枚の剥離紙によってのみ連結されており、かつ、各調整材１個当りの大きさがさほど大きくないので、高温になる屋根上の作業環境下で調整材が膨張した場合においてもシート全体が湾曲するにとどまり、剥離紙が調整材から剥離してしまうことを防止できる。
【００１４】
そして、表裏両面に接着剤層を設けた調整材では、手で掴んで剥離紙から剥ぎ取った調整材を屋根瓦等に貼り付けてから小剥離紙を剥がすことにより、野地板に張設された防水シートや桟木上に載置するだけでこれらと接着が図られるなど、用途が広がる。ブロック状の調整材は、軽量で、大きさも画一化されているので、従来ばらつきの大きかった棟部や谷部の施工品質の安定化にも資することができる。
【発明を実施するための最良の形態】
【００１５】
以下、図面にもとづいて本発明に係る屋根瓦支持用調整材につき説明する。図１は、本発明に係る屋根瓦支持用調整材の一例を示した斜視図である。図示された例の調整材は、縦横各々長さ150mm、厚さ20mmの正方形の発泡樹脂シート１を用いて、１つのブロック２の短辺を30mm、長辺を50mmとした計15個のブロック２に分割・切断したものである。各ブロック２の裏面（底面）側には薄い接着剤層３が設けられており、１枚の剥離紙４によって、計15個のブロック２が一体的に連結されている。
【００１６】
発泡樹脂シート１としてはポリエチレン製のスポンジシートが、接着剤層３としてはアクリル系接着剤がそれぞれ用いられているが、各素材はこれらに限定されるものではなく、同等素材への代替も可能である。また、発泡樹脂シート１全体又は各ブロック２のサイズについても適宜選定しうる。図示されるように、各ブロック２が剥離紙４と接触している面積が小さいことから、高温状態において各ブロック２が膨張したときにも、剥離紙４との膨張差を抑制することができるわけである。
【００１７】
図２は、表面（上面）側にも薄い接着剤層３を設けて、各ブロック２ごと同じサイズに予め切断された小剥離紙５を設けた例の斜視図である。本例では、各ブロック２のサイズは前記図１の例のブロック２と同一としつつも、１枚の発泡樹脂シート１全体を小さいものとし、計10個のブロック２に分割・切断している。両面接着を可能とした各ブロック２からなる調整材は、瓦の裏面と、野地板に張設された防水シートや桟木などの両方に接着されることによって、より一層屋根瓦の安定保持を図ることができるし、屋根瓦と隙間が大きく複数個を重ねて用いる場合にも、接着剤層３同士が接着されて調整材としての一体化が図られる。
【００１８】
図３は、本発明に係る屋根瓦支持用調整材の使用例を示す斜視図である。屋根瓦６は、屋根の軒側（図３では右上側）から棟側（図３では左下側）へと順に積まれているが、棟部や谷部に相当する部分では屋根瓦６が切断されることになる。こうした切断端部に対して本発明に係る調整材のブロック２を用いることにより、浮いた状態にある屋根瓦を支持させるのである。図３中右側位置では３枚の屋根瓦６が重なり合い防水シート７との隙間が小さいため、１個のブロック２を介在させている。これに対して図３中左側位置では、２枚の屋根瓦６が重なっているのみで、しかも屋根瓦６自体の形状から防水シート７との隙間が大きくなっているので、２個のブロック２を重ねて介在させている。
【００１９】
なお、図３に示されるように、本発明に係る屋根瓦支持用調整材は屋根瓦の必要な箇所を点で支持するものであり、前記特許文献１に開示された枕桟のように隙間なく線状に支持するものではない。むしろ、このように屋根瓦６と防水シート７との間に広い隙間を残しておくことにより、雨水が溜まる箇所がなくなり、スムーズな排水が期待されるのである。
【図面の簡単な説明】
【００２０】
【図１】本発明に係る屋根瓦支持用調整材の一例を示した斜視図である。
【図２】本発明に係る屋根瓦支持用調整材の他の例を示した斜視図である。
【図３】本発明に係る屋根瓦支持用調整材の使用例を示す斜視図である。
【符号の説明】
【００２１】
１      発泡樹脂シート
２      ブロック
３      接着剤層
４      剥離紙
５      小剥離紙
６      屋根瓦
７      防水シート
【図１】
2009167601.tif 000003
【図２】
2009167601.tif 000004
【図３】
2009167601.tif 000005